(57)【要約】【課題】  単独でいろいろな部材の挟持部材として利用でき、梯子やステージの任意の位置に取付けられ、加工性、組付性、経済性に優れた挟持装置およびこの挟持装置を備えた梯子装置を提供すること。【課題解決手段】  アウターチューブ１と、上記アウターチューブ１内にスライド自在に挿入したインナーチューブ２と、上記インナーチューブ２の端部に設けたナット３と、上記アウターチューブ１の端部に設けられて上記ナット３に螺合したボルト４と、上記アウターチューブ１の端部側面から横方向に突設した第１の挟持片７Ａと、上記インナーチューブ２の端部側面から横方向に突設して上記第１の挟持片７Ａに平行に対向する第２の挟持片７Ｂと、上記アウターチューブ１の胴部側面から横方向に突設したで構成されている。【選択図】図１
2018031113.tif 000002
【特許請求の範囲】
【請求項１】
アウターチューブ（１）と、上記アウターチューブ（１）内にスライド自在に挿入したインナーチューブ（２）と、上記インナーチューブ（２）の端部に設けたナット（３）と、上記アウターチューブ（１）の端部に設けられて上記ナット（３）に螺合したボルト（４）と、上記アウターチューブ（１）の端部側面から横方向に突設した第１の挟持片（７Ａ）と、上記インナーチューブ（２）の端部側面から横方向に突設して上記第１の挟持片（７Ａ）に平行に対向する第２の挟持片（７Ｂ）と、上記アウターチューブ（１）の胴部側面から横方向に突設したで構成されている挟持装置。
【請求項２】
スライド自在に重ね合わせた第１、第２の梯子（Ｂ１）、（Ｂ２）と、上記第１、第２の梯子（Ｂ１）、（Ｂ２）を挟持する挟持装置（Ａ）とからなり、
上記第１、第２の梯子（Ｂ１）、（Ｂ２）はそれぞれ左右一対の桁材（９Ａ）（９Ａ）、（９Ｂ）（９Ｂ）と、上記桁材（９Ａ）（９Ａ）、（９Ｂ）（９Ｂ）間に架設された複数の中空なステップ（１０Ａ）、（１０Ｂ）とを備え、
上記挟持装置（Ａ）はアウターチューブ（１）と、上記アウターチューブ（１）内にスライド自在に挿入したインナーチューブ（２）と、上記インナーチューブ（２）の端部に設けたナット（３）と、上記アウターチューブ（１）の端部に設けられて上記ナット（３）に螺合したボルト（４）と、上記アウターチューブ（１）の端部側面から横方向に突設した第１の挟持片（７Ａ）と、上記インナーチューブ（２）の端部側面から横方向に突設して上記第１の挟持片（７Ａ）に平行に対向する第２の挟持片（７Ｂ）と、上記アウターチューブ（１）の胴部側面から横方向に突設した第１の支持ロッド（８Ａ）と、同じく上記インナーチューブ（２）の胴部側面から横方向に突設して上記第１の支持ロッド（８Ａ）と平行に配置した第２の支持ロッド（８Ｂ）とで構成され
上記第１、第２の挟持片（７Ａ）、（７Ｂ）で上記各桁材（９Ａ）、（９Ｂ）を挟み込み、上記各支持ロッド（８Ａ）、（８Ｂ）を上記ステップ（１０Ａ）、（１０Ｂ）の中空部（１１Ａ）、（１１Ｂ）に端部からそれぞれ差し込むことを特徴とする梯子装置
【請求項３】
上記梯子（Ｂ１）、（Ｂ２）における各ステップ１０Ａ、１０Ｂの両端部をそれぞれ各桁材（９Ａ）、（９Ｂ）を貫通させて中空部を各桁材（９Ａ）、（９Ｂ）の外方の露出させている請求項２に記載の梯子挟持装置。
【発明の詳細な説明】
【技術分野】
【０００１】
本発明は、二つの梯子やステージをスライド自在に重ねて長さを調節する場合に、この重ねた二つの梯子やステージを挟持するのに適する挟持装置及びこの挟持装置を備えた梯子装置に関するものである。
【背景技術】
【０００２】
一般に建物の壁や屋根等の建造、解体、橋梁等の構築物の構築、解体、塗装、丘陵の法面工事等の諸作業を行う場合には、地上からこれらの高い位置の作業位置まで梯子を立て掛け、この梯子を作業者が昇降している。
【０００３】
また、建物の屋根等の傾斜部分の建造、修理等の諸作業を行う場合にはこの傾斜部の傾斜面に沿って梯子と足場板を兼ねた多目的ステージを配置し、このステージ上を作業者が歩行するようになっている。
【０００４】
しかしながら、単一の梯子やステージを使用する場合、例えば、地上から作業位置まで距離が長い場合、又は屋根等の作業位置が広くて長い場合は、この作業位置まで梯子やステージが届かない場合がある。
【０００５】
そこで、このような場合は、例えば、特許文献１に示すようにステージを二枚重ね、一方のステージを他方のステージにスライドさせてステージの全体の長さを作業位置までの距離に合わせ調節している。
【０００６】
この場合、重ね合わせた二つのステージは長さを設定した後には両者を固定しておく必要があるので、二つのステージ間に両者を固定する挟持部材を設けている。
【０００７】
この挟持部材は、各ステージの枠体の両側にそれぞれ取付けたソケットと、このソケット間にねじ込んだ蝶ボルトとからなり、蝶ボルトを締め込んだ時ソケットが互いに近接して二つのステージを重ねた状態で固定するものある。
【先行技術文献】
【特許文献】
【０００８】
【特許文献１】特許第５２６０８４４号公報（段落００３２、図４参照）
【発明の概要】
【発明が解決しようとする課題】
【０００９】
上記従来の挟持部材特に構造上欠陥があるわけではないが、次のような不具合の改善がのぞまれている。
第１に、上記の挟持部材は、各ステージの枠体に固定したソケットを利用しているので、この固定したソケットの位置でしか二つのステージを固定できないので、ステージの長さを任意の長さに設定できない。
第２に、ソケットが各ステージに固定されているので、この固定したソケットを備えたステージにしか利用できず、これを備えていない梯子等の他の部材を挟持する挟持部材として利用できない。
第３に、ソケットが各ステージに固定されているので、各ステージの構成要素が増え、ステージの構造が複雑で、加工性、組付性、経済性において不利である。
そこで本発明の目的は、単独でいろいろな部材の挟持部材として利用でき、梯子やステージの任意の位置に取付けられ、加工性、組付性、経済性に優れた挟持装置およびこの挟持装置を備えた梯子装置を提供することである。
【課題を解決するための手段】
【００１０】
上記の目的を達成するため、本発明の挟持装置は、アウターチューブと、上記アウターチューブ内にスライド自在に挿入したインナーチューブと、上記インナーチューブの端部に設けたナットと、上記アウターチューブの端部に設けられて上記ナットに螺合したボルトと、上記アウターチューブの端部側面から横方向に突設した第１の挟持片と、上記インナーチューブの端部側面から横方向に突設して上記第１の挟持片に平行に対向する第２の挟持片と、上記アウターチューブの胴部側面から横方向に突設した第１の支持ロッドと、同じく上記インナーチューブの胴部側面から横方向に突設して上記第１の支持ロッドと平行に配置した第２の支持ロッドとで構成されている。
【００１１】
同じく、本発明の梯子装置は、スライド自在に重ね合わせた第１、第２の梯子と、上記第１、第２の梯子を挟持する挟持装置とからなり、上記第１、第２の梯子はそれぞれ左右一対の桁材と、上記桁材間に架設された複数の中空なステップとを備え、上記挟持装置はアウターチューブと、上記アウターチューブ内にスライド自在に挿入したインナーチューブと、上記インナーチューブの端部に設けたナットと、上記アウターチューブの端部に設けられて上記ナットに螺合したボルトと、上記アウターチューブの端部側面から横方向に突設した第１の挟持片と、上記インナーチューブの端部側面から横方向に突設して上記第１の挟持片に平行に対向する第２の挟持片と、上記アウターチューブの胴部側面から横方向に突設した第１の支持ロッドと、同じく上記インナーチューブの胴部側面から横方向に突設して上記第１の支持ロッドと平行に配置した第２の支持ロッドとで構成され、
上記第１、第２の挟持片で上記各桁材を挟み込み、上記各支持ロッドを上記ステップの中空部に端部からそれぞれ差し込むことを特徴とする。
【発明の効果】
【００１２】
本発明によれば、次の効果を達成できる。
【００１３】
Ａ）本発明の挟持装置は単独で成形されているので、梯子やステージその他の被挟持部材に単独で取付け、取外しできるから汎用性がある。
【００１４】
Ｂ）同じく、梯子やステージその他の被挟持部材と独立しているから被挟持部材にわざわざ挟持部材を設ける必要が無く、被挟持部材の構造の簡素化、加工性、経済性の向上を図れる。
【００１５】
Ｃ）本発明の梯子装置はステップの中空部に支持ロッドを挿入できるので第１、第２の挟持片が梯子の桁材から滑ってスライドするのが防止でき、長さ調整した後にその長さ位置に重ね合せた梯子をしっかりと保持できる。
【図面の簡単な説明】
【００１６】
【図１】本発明の一実施の形態に係る梯子装置の斜視図である。
【図２】図１の一部拡大平面図である。
【図３】図１の一部拡大正面図である。
【図４】図１の一部拡大側面図である。
【図５】本発明の一実施の形態に係る挟持装置の一部切欠き平面図である。
【図６】Ａ）挟持装置におけるアウターチューブの背面図である。Ｂ）同平面図である。Ｃ）同正面図である。
【図７】Ａ）挟持装置におけるインナーチューブの背面図である。Ｂ）同平面図である。Ｃ）同正面図である。
【発明を実施するための形態】
【００１７】
以下本発明の実施の一例を図に基づいて説明する。
【００１８】
本発明は、二つの梯子やステージその他の被挟持部材をスライド自在に重ねて長さを調節する場合に、この重ねた二つの被挟持部材を挟持するのに適する挟持装置に関するものである。
【００１９】
同じく、本発明はこの挟持装置を利用した梯子装置に関する。
【００２０】
図１〜図４は本発明の一実施の形態に係る挟持装置Ａを利用して結合した梯子装置を示す。
【００２１】
図５〜図７は単一の挟持装置Ａを示している。
【００２２】
以下詳細に説明する。
【００２３】
本発明の梯子装置は、図１に示すように、スライド自在に重ね合わせた第１、第２の梯子Ｂ１、Ｂ２と、第１、第２の梯子Ｂ１、Ｂ２を挟持する挟持装置Ａとから構成されている。
【００２４】
第１の梯子Ｂ１は左右一対の桁材９Ａ、９Ａ、と、桁材９Ａ、９Ａ間に架設された複数の中空なステップ１０Ａとを備え、同じく、第２の梯子Ｂ２は左右一対の桁材９Ｂ、９Ｂと、桁材９Ｂ、９Ｂ間に架設された複数の中空なステップ１０Ｂとを備えている。
【００２５】
各梯子Ｂ１、Ｂ２を保持する挟持装置Ａは図５〜図７に示す構造を採用している。
【００２６】
即ち、この挟持装置Ａは、アウターチューブ１と、アウターチューブ１内にスライド自在に挿入したインナーチューブ２と、インナーチューブ２の端部に設けたナット３と、アウターチューブ１の端部に設けられてナット３に螺合したボルト４と、アウターチューブ１の端部側面から横方向に突設した第１の挟持片７Ａと、インナーチューブ２の端部側面から横方向に突設して上記第１の挟持片７Ａに平行に対向する第２の挟持片７Ｂと、アウターチューブ１の胴部側面から横方向に突設した第１の支持ロッド８Ａと、同じく上記インナーチューブ２の胴部側面から横方向に突設して上記第１の支持ロッド８Ａと平行に配置した第２の支持ロッド８Ｂとで構成されている。
【００２７】
ボルト４の頭部６はアウターチューブ１の端部側蓋１ａに回転自在に当接しており、ボルト４のねじ部４ａは蓋１ａに形成した孔１ｂを貫通してインナーチューブ２側のナット３に螺合されている。
【００２８】
これにより、頭部６を介してボルト４を時計方向又は反時計方向に回動するとボルト４に沿ってインナーチューブ２が伸縮し、挟持片７Ａ、７Ｂ間の幅を調整できるようになっている。
【００２９】
そして、第１、第２の挟持片７Ａ、７Ｂで各桁材９Ａ、９Ｂを両側から挟み込み、上記各支持ロッド８Ａ、８Ｂを各ステップ１０Ａ、１０Ｂの中空部１１Ａ、１１Ｂにこの中空部の端部からそれぞれ差し込むものである。
【００３０】
この場合、図２に示すように、梯子Ｂ１、Ｂ２を重ねた時は各桁材９Ａ，９Ｂが重ね合わされ、同時に、各梯子Ｂ１、Ｂ２における各ステップ１０Ａ、１０Ｂの両端部がそれぞれ各桁材９Ａ、９Ｂを貫通し、その中空部が各桁材９Ａ、９Ｂの外方に露出される。
【００３１】
従って、この挟持片７Ａ、７Ｂで対向する二つ各桁材９Ａ、９Ｂを挟み込むと同時に各支持ロッド８Ａ、８Ｂをそれぞれのステップ１０Ａ、１０Ｂの中空部１１Ａ、１１Ｂに各桁材９Ａ、９Ｂの外側から差し込むことが出来る。
【００３２】
これにより、重ね合わされた二つの梯子Ｂ１、Ｂ２は挟持片７Ａ、７Ｂで挟まれて横方向のずれが防止され、同時に中空部１１Ａ、１１Ｂにの差し込まれた支持ロッド８Ａ、８Ｂで縦方向のずれが防止され、挟持装置Ａで保持された位置で梯子Ｂ１、Ｂ２の長さが設定される。
【００３３】
各梯子Ｂ１、Ｂ２の長さは例えば、建築現場の地上から建築作業位置までの高さに応じて長短調整できる。
【００３４】
例えば、図１の状態から、さらに全体の梯子の長さを長くする場合は、挟持装置Ａを一端取外し、次に上方の梯子９Ｂを任意の長さ引き上げて下方の梯子９Ａに重ね、次いで挟持装置Ａの取付位置を上下にずらして上記と同じようにこの挟持装置Ａで各梯子Ｂ１、Ｂ２を保持する。
【００３５】
これにより、この保持位置に対応して梯子全体の長さが調整される。
【００３６】
更に、梯子の各桁材９Ａ、９Ｂ間の幅に応じてボルト４を介してインナーチューブ２を伸縮させ、挟持片７Ａ、７Ｂ間の幅をこの桁材９Ａ、９Ｂ間の幅に合わせて調整する。
【００３７】
上記の梯子装置Ｈは挟持部材Ａを梯子Ｂ１、Ｂ２に取付けたものであるが、この挟持装置Ａは支持ロッド８Ａ、８Ｂを差し込む孔を備えている同様の被挟持部材にも取りけられる。
【００３８】
例えば、上記した特許文献１に示すように、裏側に梯子を備え、表側に足場板を備えた多目的ステージの挟持部材としても使用できる。この場合の作用効果は上記の梯子装置Ｈと同じである。
【符号の説明】
【００３９】
Ａ  挟持装置
Ｂ１  第１の梯子
Ｂ２  第２の梯子
１  アウターチューブ
２  インナーチューブ
３  ナット
４  ボルト
７Ａ  第１の挟持片
７Ｂ  第２の挟持片
８Ａ、８Ｂ  支持ロッド
９Ａ、９Ｂ  桁材
１０Ａ、１０Ｂ  ステップ
１１Ａ、１１Ｂ  中空部
【図１】
2018031113.tif 000003
【図２】
2018031113.tif 000004
【図３】
2018031113.tif 000005
【図４】
2018031113.tif 000006
【図５】
2018031113.tif 000007
【図６】
2018031113.tif 000008
【図７】
2018031113.tif 000009